(57)【要約】【課題】ＴＶ放送のいわゆるダイレクト選局時の操作性を向上させると共に、不快ないわゆる砂嵐と称される状態を生じさせないようにした放送信号受信装置を提供する。【解決手段】チューナ１２が受信可能な放送信号を表すチャンネル番号が予め有効チャンネル情報記憶領域１５２に記憶されており、リモコン装置３０が受け付けた選局情報に対応するチャンネル番号が有効チャンネル情報記憶領域１５２から検索される。この結果、リモコン装置３０が受け付けた選局情報に対応するチャンネル番号が有効チャンネル情報記憶領域１５２に記憶されている場合は選局が行なわれ、リモコン装置３０が受け付けた選局情報に対応するチャンネル番号が有効チャンネル情報記憶領域１５２に記憶されていない場合は選局が行なわれない。従って、受信不可能なチャンネルを視聴者が選択出来ないので、無駄な操作を行なわずに済む。【選択図】図１
2007096948.tif 000002
【特許請求の範囲】
【請求項１】
選局指令に応じた放送信号を受信する受信手段と、放送信号を特定する選局情報を受け付ける受付手段と、該受付手段が受け付けた選局情報に基づいて前記受信手段に選局指令を与える選局手段とを備えた放送信号受信装置において、
前記受信手段が受信可能な放送信号を表す受信可能放送信号情報を予め記憶した記憶手段と、
前記受付手段が受け付けた選局情報に対応する受信可能放送信号情報を前記記憶手段から検索する検索手段と、
該検索手段による検索の結果、前記受付手段が受け付けた選局情報に対応する受信可能放送信号情報が前記記憶手段に記憶されている第１の場合は選局指令を前記受信手段に与え、前記受付手段が受け付けた選局情報に対応する受信可能放送信号情報が前記記憶手段に記憶されていない第２の場合は選局指令を前記受信手段に与えない制御手段と
を備えたことを特徴とする放送信号受信装置。
【請求項２】
表示手段と、該表示手段の表示状態を制御する表示制御手段とを更に備え、
前記制御手段は、前記第２の場合に前記表示手段に所定の表示が行なわれるように前記表示制御手段を制御するように構成されていること
を特徴とする請求項１に記載の放送信号受信装置。
【請求項３】
前記所定の表示は、前記受信手段が受信中の放送信号に関する情報であることを特徴とする請求項２に記載の放送信号受信装置。
【請求項４】
前記所定の表示は、前記受付手段が受け付けた選局情報に対応する放送信号を受信できない旨を報知する情報であることを特徴とする請求項２に記載の放送信号受信装置。
【請求項５】
前記所定の表示は、前記記憶手段に記憶されている受信可能放送信号情報のリスト表示であることを特徴とする請求項２に記載の放送信号受信装置。
【請求項６】
前記所定の表示は、前記記憶手段に記憶されている受信可能放送信号情報の内の前記受付手段が受け付けた選局情報に関連する受信可能放送信号情報であることを特徴とする請求項２に記載の放送信号受信装置。
【請求項７】
選局情報及び受信可能放送信号情報が１又は複数桁の数字である場合に前記所定の表示は、前記記憶手段に記憶されている受信可能放送信号情報である数字の内の前記受付手段が受け付けた選局情報である数字を一部に含む数字であることを特徴とする請求項６に記載の放送信号受信装置。
【請求項８】
選局情報及び受信可能放送信号情報が１又は複数桁の数字である場合に前記所定の表示は、前記記憶手段に記憶されている受信可能放送信号である数字の内の前記受付手段が受け付けた選局情報である数字に最も近い数字であることを特徴とする請求項６に記載の放送信号受信装置。
【請求項９】
前記受付手段は、前記表示手段に表示された受信可能放送信号情報の選択を受け付けるように構成されていることを特徴とする請求項６乃至８のいずれか一つに記載の放送信号受信装置。
【請求項１０】
前記制御手段は、選局情報及び受信可能放送信号情報が１又は複数桁の数字である場合に、前記記憶手段に記憶されている受信可能放送信号情報である１又は複数桁の数字の内のいずれかに上位側の桁から順に一致する数字のみを選局情報として前記受付手段に受け付けさせるように構成してあることを特徴とする請求項２に記載の放送信号受信装置。
【請求項１１】
前記受付手段は、選局情報及び受信可能放送信号情報が１又は複数桁の数字である場合に、前記記憶手段に記憶されている受信可能放送信号情報である１又は複数桁の数字の内のいずれかに上位側の桁から順に一致する数字のみを選局情報として受け付けるように構成してあることを特徴とする請求項２に記載の放送信号受信装置。
【請求項１２】
前記受付手段は、０乃至９の数字の入力を受け付けるための複数のキーと、前記複数のキーを選択的に点灯／消灯させる点灯／消灯手段とを備え、
前記点灯／消灯手段は、選局情報及び受信可能放送信号情報が１又は複数桁の数字である場合に、前記記憶手段に記憶されている受信可能放送信号情報である１又は複数桁の数字の内のいずれかに上位側の桁から順に一致する数字の入力を受け付けるためのキーのみを選択的に点灯するように構成してあることを特徴とする請求項１１に記載の放送信号受信装置。
【請求項１３】
前記受付手段は０乃至９の数字の入力を受け付けるための複数のキーを表示するソフトウェアキーを備え、
選局情報及び受信可能放送信号情報が１又は複数桁の数字である場合に、前記記憶手段に記憶されている受信可能放送信号情報である１又は複数桁の数字の内のいずれかに上位側の桁から順に一致する数字の入力を受け付けるためのキーのみを選択的に表示するように構成してあることを特徴とする請求項１１に記載の放送信号受信装置。
【請求項１４】
前記受け付け手段は、本体と双方向通信可能なリモートコントロール装置であることを特徴とする請求項１０乃至１３のいずれか一つに記載の放送信号受信装置。
【発明の詳細な説明】
【技術分野】
【０００１】
本発明は放送信号受信装置に関する。特に、複数桁の数字により放送信号（放送局）を指定して受信することが可能な放送信号受信装置に関する。
【背景技術】
【０００２】
近年のデジタルＴＶ放送の多チャンネル化、特に衛星放送の多チャンネル化に伴なって、従来は１〜１２程度であったＴＶ放送のチャンネルが３桁の数字で表される程度に増加している。従って、視聴者はチャンネルの選択に際しては、従来はチャンネル番号のアップダウンキーの操作のみで容易に所望のチャンネルを選択することが可能であった。しかし、近年では３桁の数字をテンキーを操作して入力するいわゆるダイレクト選局を行なう必要がある。
【０００３】
ところで、テンキーを操作して３桁の数字を入力してチャンネルを選択する際に、放送信号（放送局）が割り当てられていない数字を視聴者が誤って入力した場合には、いわゆる砂嵐と称される状態の画面になると共に音声に関しても不快なノイズが発生する。このような事態を未然に防止するために、視聴可能なチャンネルに関する情報、具体的にはチャンネル番号を表示する発明（特許文献１参照）、チャンネルのアップダウンキーを操作した場合に視聴可能なチャンネルのみを対象としてチャンネルのアップダウンが行なわれる発明（特許文献２参照）、指定されたチャンネル番号に対応する周波数の放送信号をサーチする発明（特許文献３参照）等が提案されている。
【特許文献１】特開平１０−２００８６８号公報
【特許文献２】特開平１０−２１５４４１号公報
【特許文献３】特開２００２−３４４８２９号公報
【発明の開示】
【発明が解決しようとする課題】
【０００４】
しかし、特許文献１に開示されている発明では膨大な数のチャンネル番号が表示される可能性があり、特許文献２に開示されている発明では視聴者が目的のチャンネルを探し出すまでにかなりの時間を要する可能性があり、更に特許文献３に開示されている発明ではチャンネルサーチにある程度の時間を要すると共にサーチが行なわれている間は映像及び音声共に不快なノイズを発生する可能性がある。
【０００５】
本発明は以上のような事情に鑑みてなされたものであり、いわゆるダイレクト選局時の操作性を向上させると共に、不快ないわゆる砂嵐と称される状態を生じさせないようにした放送信号受信装置の提供を主たる目的とする。
【課題を解決するための手段】
【０００６】
本発明は、端的には、受信可能なチャンネル番号以外の番号の入力を拒否したり、受信可能なチャンネル番号のみを入力可能にしたり、等により受信不可能なチャンネルを視聴者が選択出来ないように構成したことを特徴とする。
【０００７】
本発明に係る放送信号受信装置は、選局指令に応じた放送信号を受信する受信手段と、放送信号を特定する選局情報を受け付ける受付手段と、該受付手段が受け付けた選局情報に基づいて前記受信手段に選局指令を与える選局手段とを備えた放送信号受信装置において、前記受信手段が受信可能な放送信号を表す受信可能放送信号情報を予め記憶した記憶手段と、前記受付手段が受け付けた選局情報に対応する受信可能放送信号情報を前記記憶手段から検索する検索手段と、該検索手段による検索の結果、前記受付手段が受け付けた選局情報に対応する受信可能放送信号情報が前記記憶手段に記憶されている第１の場合は選局指令を前記受信手段に与え、前記受付手段が受け付けた選局情報に対応する受信可能放送信号情報が前記記憶手段に記憶されていない第２の場合は選局指令を前記受信手段に与えない制御手段とを備えたことを特徴とする。
【０００８】
このような本発明に係る放送信号受信装置では、受付手段が受け付けた選局情報に対応する受信可能放送信号情報が記憶手段から検索され、検索の結果、受付手段が受け付けた選局情報に対応する受信可能放送信号情報が記憶手段に記憶されている第１の場合は選局指令が受信手段に与えられる。しかし、受付手段が受け付けた選局情報に対応する受信可能放送信号情報が記憶手段に記憶されていない第２の場合は選局指令が受信手段に与えられない。
【０００９】
また本発明に係る放送信号受信装置は上記の放送信号受信装置の発明において、表示手段と、該表示手段の表示状態を制御する表示制御手段とを更に備え、前記制御手段は、前記第２の場合に前記表示手段に所定の表示が行なわれるように前記表示制御手段を制御するように構成されていることを特徴とする。
【００１０】
このような本発明に係る放送信号受信装置では上記の放送信号受信装置の発明において、第２の場合には、表示手段に所定の表示が行なわれる。
【００１１】
更に本発明に係る放送信号受信装置は上記の放送信号受信装置の発明において、前記所定の表示は、前記受信手段が受信中の放送信号に関する情報であることを特徴とする。
【００１２】
このような本発明に係る放送信号受信装置では上記の放送信号受信装置の発明において、第２の場合には、受信手段が受信中の放送信号に関する情報が表示される。
【００１３】
更に本発明に係る放送信号受信装置は前記の放送信号受信装置の発明において、前記所定の表示は、前記受付手段が受け付けた選局情報に対応する放送信号を受信できない旨を報知する情報であることを特徴とする。
【００１４】
このような本発明に係る放送信号受信装置では前記の放送信号受信装置の発明において、第２の場合には、受付手段が受け付けた選局情報に対応する放送信号を受信できない旨を報知する情報が表示される。
【００１５】
更に本発明に係る放送信号受信装置は前記の放送信号受信装置の発明において、前記所定の表示は、前記記憶手段に記憶されている受信可能放送信号情報のリスト表示であることを特徴とする。
【００１６】
このような本発明に係る放送信号受信装置では前記の放送信号受信装置の発明において、第２の場合には、記憶手段に記憶されている受信可能放送信号情報がリスト表示される。
【００１７】
更に本発明に係る放送信号受信装置は前記の放送信号受信装置の発明において、前記所定の表示は、前記記憶手段に記憶されている受信可能放送信号情報の内の前記受付手段が受け付けた選局情報に関連する受信可能放送信号情報であることを特徴とする。
【００１８】
このような本発明に係る放送信号受信装置では前記の放送信号受信装置の発明において、第２の場合には、記憶手段に記憶されている受信可能放送信号情報の内の受付手段が受け付けた選局情報に関連する受信可能放送信号情報が表示される。
【００１９】
更に本発明に係る放送信号受信装置は上記の放送信号受信装置の発明において、選局情報及び受信可能放送信号情報が１又は複数桁の数字である場合に前記所定の表示は、前記記憶手段に記憶されている受信可能放送信号情報である数字の内の前記受付手段が受け付けた選局情報である数字を一部に含む数字であることを特徴とする。
【００２０】
このような本発明に係る放送信号受信装置では上記の放送信号受信装置の発明において、選局情報及び受信可能放送信号情報が１又は複数桁の数字であり、しかも第２の場合には、記憶手段に記憶されている受信可能放送信号情報である数字の内の受付手段が受け付けた選局情報である数字を一部に含む数字が表示される。
【００２１】
更に本発明に係る放送信号受信装置は前記の放送信号受信装置の発明において、選局情報及び受信可能放送信号情報が１又は複数桁の数字である場合に前記所定の表示は、前記記憶手段に記憶されている受信可能放送信号である数字の内の前記受付手段が受け付けた選局情報である数字に最も近い数字であることを特徴とする。
【００２２】
このような本発明に係る放送信号受信装置では前記の放送信号受信装置の発明において、選局情報及び受信可能放送信号情報が１又は複数桁の数字であり、しかも第２の場合には、記憶手段に記憶されている受信可能放送信号である数字の内の受付手段が受け付けた選局情報である数字に最も近い数字が表示される。
【００２３】
更に本発明に係る放送信号受信装置は前記の放送信号受信装置の発明のいずれか一つにおいて、前記受付手段は、前記表示手段に表示された受信可能放送信号情報の選択を受け付けるように構成されていることを特徴とする。
【００２４】
このような本発明に係る放送信号受信装置では前記の放送信号受信装置の発明のいずれか一つにおいて、表示手段に表示された受信可能放送信号情報の選択が受付手段により受け付けられる。
【００２５】
更に本発明に係る放送信号受信装置は前記の放送信号受信装置の発明において、前記制御手段は、選局情報及び受信可能放送信号情報が１又は複数桁の数字である場合に、前記記憶手段に記憶されている受信可能放送信号情報である１又は複数桁の数字の内のいずれかに上位側の桁から順に一致する数字のみを選局情報として前記受付手段に受け付けさせるように構成してあることを特徴とする。
【００２６】
このような本発明に係る放送信号受信装置では前記の放送信号受信装置の発明において、選局情報及び受信可能放送信号情報が１又は複数桁の数字である場合には、記憶手段に記憶されている受信可能放送信号情報である１又は複数桁の数字の内のいずれかに上位側の桁から順に一致する数字のみが選局情報として受付手段に受け付けられる。
【００２７】
更に本発明に係る放送信号受信装置は前記の放送信号受信装置の発明において、前記受付手段は、選局情報及び受信可能放送信号情報が１又は複数桁の数字である場合に、前記記憶手段に記憶されている受信可能放送信号情報である１又は複数桁の数字の内のいずれかに上位側の桁から順に一致する数字のみを選局情報として受け付けるように構成してあることを特徴とする。
【００２８】
このような本発明に係る放送信号受信装置では前記の放送信号受信装置の発明において、選局情報及び受信可能放送信号情報が１又は複数桁の数字である場合には、記憶手段に記憶されている受信可能放送信号情報である１又は複数桁の数字の内のいずれかに上位側の桁から順に一致する数字のみが選局情報として受け付けられる。
【００２９】
更に本発明に係る放送信号受信装置は上記の放送信号受信装置の発明において、前記受付手段は、０乃至９の数字の入力を受け付けるための複数のキーと、前記複数のキーを選択的に点灯／消灯させる点灯／消灯手段とを備え、前記点灯／消灯手段は、選局情報及び受信可能放送信号情報が１又は複数桁の数字である場合に、前記記憶手段に記憶されている受信可能放送信号情報である１又は複数桁の数字の内のいずれかに上位側の桁から順に一致する数字の入力を受け付けるためのキーのみを選択的に点灯するように構成してあることを特徴とする。
【００３０】
このような本発明に係る放送信号受信装置では上記の放送信号受信装置の発明において、選局情報及び受信可能放送信号情報が１又は複数桁の数字である場合には、記憶手段に記憶されている受信可能放送信号情報である１又は複数桁の数字の内のいずれかに上位側の桁から順に一致する数字の入力を受け付けるためのキーのみが選択的に点灯される。
【００３１】
更に本発明に係る放送信号受信装置は前記の放送信号受信装置の発明において、前記受付手段は０乃至９の数字の入力を受け付けるための複数のキーを表示するソフトウェアキーを備え、選局情報及び受信可能放送信号情報が１又は複数桁の数字である場合に、前記記憶手段に記憶されている受信可能放送信号情報である１又は複数桁の数字の内のいずれかに上位側の桁から順に一致する数字の入力を受け付けるためのキーのみを選択的に表示するように構成してあることを特徴とする。
【００３２】
このような本発明に係る放送信号受信装置では前記の放送信号受信装置の発明において、選局情報及び受信可能放送信号情報が１又は複数桁の数字である場合には、記憶手段に記憶されている受信可能放送信号情報である１又は複数桁の数字の内のいずれかに上位側の桁から順に一致する数字の入力を受け付けるためのキーのみが選択的に表示される。
【００３３】
更に本発明に係る放送信号受信装置は前記の放送信号受信装置の発明のいずれか一つにおいて、前記受け付け手段は、本体と双方向通信可能なリモートコントロール装置であることを特徴とする。
【００３４】
このような本発明に係る放送信号受信装置では前記の放送信号受信装置の発明のいずれか一つにおいて、本体と双方向通信可能なリモートコントロール装置が受け付け手段として利用される。
【発明の効果】
【００３５】
前述のような本発明に係る放送信号受信装置によれば、受付手段が受け付けた選局情報に対応する受信可能放送信号情報が記憶手段に記憶されている第１の場合には選局指令が受信手段に与えられて選局が行なわれる。しかし、受付手段が受け付けた選局情報に対応する受信可能放送信号情報が記憶手段に記憶されていない第２の場合には選局指令が受信手段に与えられないので、不愉快なノイズ等が発生する虞がない。
【００３６】
また本発明に係る放送信号受信装置によれば上記の放送信号受信装置の発明において、受付手段が受け付けた選局情報に対応する受信可能放送信号情報が記憶手段に記憶されていない第２の場合には表示手段に所定の表示が行なわれるので、視聴者は選局が行なわれなかったこと、換言すれば視聴者が入力した選局情報では選局が行なえないことが容易に理解可能になる。
【００３７】
更に本発明に係る放送信号受信装置によれば上記の放送信号受信装置の発明において、受付手段が受け付けた選局情報に対応する受信可能放送信号情報が記憶手段に記憶されていない第２の場合には受信手段が受信中の放送信号に関する情報が表示されるので、視聴者は選局が行なわれなかったこと、換言すれば視聴者が入力した選局情報では選局が行なえないことが容易に理解可能になる。
【００３８】
更に本発明に係る放送信号受信装置によれば前記の放送信号受信装置の発明において、受付手段が受け付けた選局情報に対応する受信可能放送信号情報が記憶手段に記憶されていない第２の場合には受付手段が受け付けた選局情報に対応する放送信号を受信できない旨を報知する情報が表示されるので、視聴者は選局が行なわれなかったこと、換言すれば視聴者が入力した選局情報では選局が行なえないことが容易に理解可能になる。
【００３９】
更に本発明に係る放送信号受信装置によれば前記の放送信号受信装置の発明において、受付手段が受け付けた選局情報に対応する受信可能放送信号情報が記憶手段に記憶されていない第２の場合には記憶手段に記憶されている受信可能放送信号情報がリスト表示されるので、視聴者は選局が行なわれなかったこと、換言すれば視聴者が入力した選局情報では選局が行なえないことが容易に理解可能になると共に、選局可能な選局情報を確認することが可能になる。
【００４０】
更に本発明に係る放送信号受信装置によれば前記の放送信号受信装置の発明において、受付手段が受け付けた選局情報に対応する受信可能放送信号情報が記憶手段に記憶されていない第２の場合には記憶手段に記憶されている受信可能放送信号情報の内の受付手段が受け付けた選局情報に関連する受信可能放送信号情報が表示されるので、視聴者は選局が行なわれなかったこと、換言すれば視聴者が入力した選局情報では選局が行なえないことが容易に理解可能になると共に、視聴者が誤って入力した選局情報に関連する選局情報を確認することが可能になる。
【００４１】
更に本発明に係る放送信号受信装置によれば上記の放送信号受信装置の発明において、選局情報及び受信可能放送信号情報が１又は複数桁の数字であり、しかも受付手段が受け付けた選局情報に対応する受信可能放送信号情報が記憶手段に記憶されていない第２の場合には記憶手段に記憶されている受信可能放送信号情報である数字の内の受付手段が受け付けた選局情報である数字を一部に含む数字が表示されるので、視聴者は選局が行なわれなかったこと、換言すれば視聴者が入力した選局情報では選局が行なえないことが容易に理解可能になると共に、視聴者が誤って入力した選局情報に基づいて正しい選局情報を確認することが可能になる。
【００４２】
更に本発明に係る放送信号受信装置によれば前記の放送信号受信装置の発明において、選局情報及び受信可能放送信号情報が１又は複数桁の数字であり、しかも受付手段が受け付けた選局情報に対応する受信可能放送信号情報が記憶手段に記憶されていない第２の場合には記憶手段に記憶されている受信可能放送信号である数字の内の受付手段が受け付けた選局情報である数字に最も近い数字が表示されるので、視聴者は選局が行なわれなかったこと、換言すれば視聴者が入力した選局情報では選局が行なえないことが容易に理解可能になると共に、視聴者が誤って入力した選局情報に基づいて正しい選局情報を確認することが可能になる。
【００４３】
更に本発明に係る放送信号受信装置によれば前記の放送信号受信装置の発明のいずれか一つにおいて、表示手段に表示された受信可能放送信号情報の選択が受付手段により受け付けられるので、視聴者は選局情報を最初から入力しなおす必要が無い。
【００４４】
更に本発明に係る放送信号受信装置によれば前記の放送信号受信装置の発明において、選局情報及び受信可能放送信号情報が１又は複数桁の数字である場合には記憶手段に記憶されている受信可能放送信号情報である１又は複数桁の数字の内のいずれかに上位側の桁から順に一致する数字のみが選局情報として受付手段に受け付けられるので、視聴者は選局可能な選局情報のみを入力することが可能になる。
【００４５】
更に本発明に係る放送信号受信装置によれば前記の放送信号受信装置の発明において、選局情報及び受信可能放送信号情報が１又は複数桁の数字である場合には記憶手段に記憶されている受信可能放送信号情報である１又は複数桁の数字の内のいずれかに上位側の桁から順に一致する数字のみが選局情報として受け付けられるので、視聴者は選局可能な選局情報のみを入力することが可能になる。
【００４６】
更に本発明に係る放送信号受信装置によれば上記の放送信号受信装置の発明において、選局情報及び受信可能放送信号情報が１又は複数桁の数字である場合には記憶手段に記憶されている受信可能放送信号情報である１又は複数桁の数字の内のいずれかに上位側の桁から順に一致する数字の入力を受け付けるためのキーのみが選択的に点灯されるので、視聴者は選局可能な選局情報のみを入力することが可能になる。
【００４７】
更に本発明に係る放送信号受信装置によれば前記の放送信号受信装置の発明において、選局情報及び受信可能放送信号情報が１又は複数桁の数字である場合には記憶手段に記憶されている受信可能放送信号情報である１又は複数桁の数字の内のいずれかに上位側の桁から順に一致する数字の入力を受け付けるためのキーのみが選択的に表示されるので、視聴者は選局可能な選局情報のみを入力することが可能になる。
【００４８】
更に本発明に係る放送信号受信装置によれば前記の放送信号受信装置の発明のいずれか一つにおいて、本体と双方向通信可能なリモートコントロール装置が受け付け手段として利用されるので、視聴者は手元のリモートコントロール装置の表示画面を見つつ選局操作を行なうことが可能になる。
【発明を実施するための最良の形態】
【００４９】
以下、本発明をその実施の形態を示す図面を参照して具体的に説明する。図１は本発明に係る放送信号受信装置の一実施の形態のハードウェア構成の一例を示すブロック図である。
【００５０】
本発明に係る放送信号受信装置１は、アンテナ１０で受信されてチューナ１２で選局された放送信号又は外部入力端子１１からの入力信号のいずれかを入力信号選択部１６で選択して映像／音声出力部１８から出力端子２５へ出力する。なお、出力端子２５にはＴＶ受像機、又はモニタ及びスピーカを接続することが可能である。本実施の形態では出力端子２５にはモニタ２６が接続されている状態を示しているが、図示しないスピーカも接続されているものとする。また、チューナ１２は制御部１７の制御によって選局、即ち制御部１７から与えられる選局指令に従っていずれかのチャンネルの放送信号を選択して受信する。更に、外部入力端子１１は１系統でもよいが、複数系統を備えていてもよい。いずれにしろ、入力信号選択部１６において制御部１７の制御によって一系統の信号、具体的にはチューナ１２が受信したいずれかのチャンネルの放送信号又は外部入力端子１１から入力された１又は複数系統の信号（映像信号及び音声信号）の内の１系統が選択されて映像／音声出力部１８から出力端子２５を介して外部へ出力され、モニタ２６に表示される。
【００５１】
また、チューナ１２で受信された放送信号はデータスライサ１３でクローズドキャプションのデータが抽出され、データデコーダ１４でデコードされてメモリ１５に記憶される。なお、本実施の形態ではデータスライサ１３及びデータデコーダ１４はＥＰＧ（Electronic Program Guid)のデータをメモリ１５に記憶させるために使用される。但し、データスライサ１３及びデータデコーダ１４共に必要に応じて制御部１７の制御によって動作する。
【００５２】
ＯＳＤ（On Screen Display)制御部１９はやはり制御部１７の制御によって、必要に応じて映像／音声出力部１８へ種々の画像表示のためのデータを出力する。映像／音声出力部１８では、ＯＳＤ制御部１９から与えられる画像表示のためのデータ（ＯＳＤデータ）を入力信号選択部１６から与えられている画像データに重畳した画像データを生成し、出力端子２５へ出力する。なお、映像／音声出力部１８からの映像及び音声の出力、及び出力すべき映像へのＯＳＤデータの重畳も制御部１７によって制御される。また、ＯＳＤ制御部１９は図示しないが、ＯＳＤデータを予め記憶したＯＳＤデータ用のメモリを内蔵している。ＯＳＤ用データとしては、画面表示のための画像データ，文字表示のためのフォントデータ等が含まれている。従って、ＯＳＤ制御部１９は制御部１７から与えられる指示に従ってＯＳＤデータに含まれる文字表示のためのフォントデータを用いて文字表示を行なうことも可能である。
【００５３】
制御部１７には更に操作部２４、リモコン入力処理部２０及びリモコン出力処理部２２が接続されている。リモコン入力処理部２０は受信部２１に接続されており、この受信部２１が受信したリモートコントロール装置３０（以下、リモコン装置３０という）から発信される電波又は光信号をデコードして制御部１７に与える。なお、操作部２４を視聴者が直接操作した場合及びリモコン装置３０を視聴者が操作した場合のいずれも、最終的には同一の信号が制御部１７に与えられる。また、リモコン出力処理部２２は送信部２３に接続されており、制御部１７から与えられた信号をエンコードして電波又は光信号に変換し、送信部２３からリモコン装置３０へ送信させる。即ち、放送信号受信装置１とリモコン装置３０との間では双方向通信が可能である。なお、操作部２４も単に操作入力を受け付けるのみならず、たとえば小型の液晶パネル等を利用した表示装置を備えることにより、放送信号受信装置１の本体との間で双方向通信可能に構成してもよい。
【００５４】
メモリ１５には、ＥＰＧデータ記憶領域１５１、有効チャンネル記憶領域１５２、契約情報記憶領域１５３、選局制限モードフラグ１５４等の記憶領域が設けられている。ＥＰＧデータ記憶領域１５１はデータスライサ１３によって抽出されてデータデコーダ１４によってデコードされたＥＰＧデータを記憶する。
【００５５】
有効チャンネル情報記憶領域１５２はチューナ１２が受信可能な放送信号のチャンネル番号（受信可能放送信号情報）及び外部入力端子１１の内の信号入力可能な（具体的には、ＤＶＤプレーヤ、有線ＴＶ放送のセットボックス等のような映像及び／又は音声信号を出力可能な種々の装置と接続されている）系統が記憶されている。具体的には、アンテナ１０又は外部入力端子１１からの入力信号を対象として、アンテナ１０からの入力信号に関しては各チャンネルが無信号であるか否か、外部入力端子１１からの入力信号に関しては複数の系統それぞれについて無接続であるか否かを制御部１７が判断し、その結果が有効チャンネル情報記憶領域１５２に有効チャンネル（及び有効外部入力端子）の情報として記憶される。
【００５６】
契約情報記憶領域１５３はたとえば有料放送の契約に関する情報を記憶する。具体的には、多数の有料放送チャンネルの内の契約済みのチャンネル番号が契約情報記憶領域１５３に記憶されている。この契約情報記憶領域１５３に記憶されているチャンネル番号は有効チャンネル番号として有効チャンネル情報記憶領域１５２に記憶される。従って、有効チャンネル情報記憶領域１５２に記憶されている有効チャンネルの情報には契約情報記憶領域１５３に記憶されているチャンネル番号も含まれる。
【００５７】
選局制限モードフラグ１５４は選局制限モードのオン／オフを記憶する領域である。選局制限モードとは、詳細は後述するが、オンである場合には本発明に係る放送信号受信装置１による選局制限の動作が有効になるモードである。なお、選局制限モードがオフである場合は本発明に係る放送信号受信装置１は通常の選局動作をする。
【００５８】
なお、以下の説明においては、有効チャンネル記憶領域１５２には５，10，15，…100, 105, 110 までの５の倍数のチャンネル番号が有効チャンネル番号として予め記憶されているものとする。但し、これらの有効チャンネル番号は上述したようにチャンネルサーチを行なってその結果を記憶してもよいし、チャンネルマップをダウンロードして記憶してもよい。
【００５９】
以下、上述のような構成の本発明に係る放送信号受信装置の動作について、制御部１７による処理手順を示すフローチャート及び映像／音声出力部１８に接続されているモニタ２６の画面表示の模式図を参照して説明する。
【００６０】
図２は第１の実施の形態の制御部１７による処理手順を示すフローチャート、図３は第１の実施の形態のモニタ２６の画面表示の状態を例示する模式図である。なお、図２に示すフローチャートは選局制限モードフラグ１５４がオンに設定されている場合の処理手順であり、選局制限モードフラグ１５４がオフに設定されている場合は本発明の放送信号受信装置においても従来の一般的なこの種の装置と同様の動作を行なう。
【００６１】
制御部１７は、操作部２４又はリモコン入力処理部２０がチャンネル番号の一桁目の数字の入力を受け付けたか否かを監視している (ステップＳ１１）。一桁目の数字の入力を受け付けない間は（ステップＳ１１でＮＯ）、制御部１７は数字の入力の受け付けの監視を継続する。但しこの場合、既にいずれかのチャンネル、たとえばチャンネル番号が「５」のチャネルが選局されてモニタ２６の画面に映像が表示されているとする。
【００６２】
一桁目の数字の入力が受け付けられた場合（ステップＳ１１でＹＥＳ）、制御部１７は内部カウンタによる計時を開始し（ステップＳ１２）、入力を受け付けた一桁目の数字をＯＳＤ制御部１９を制御してモニタ２６の画面にオンスクリーン表示する（ステップＳ１３）。そして制御部１７は内部カウンタによる計時結果が所定時間を経過したか否か、即ちタイムアップしたか否かを判断し（ステップＳ１４）、タイムアップしている場合はモニタ２６の画面からオンスクリーン表示を消去してステップＳ１１へ処理を戻す（ステップＳ１５）。即ち、一桁目の数字の入力を受け付けた時点から所定時間が経過してタイムアップした場合には、モニタ２６の画面からオンスクリーン表示が一旦消去されることにより、チャンネル番号の入力操作がキャンセルされたことが視聴者に報知される。なおその他、たとえばアップ／ダウンボタンによるチャンネル番号の選択が行なわれたような場合にも制御部１７はモニタ２６の画面からオンスクリーン表示を消去してステップＳ１１へ処理を戻す。
【００６３】
次に、操作部２４又はリモコン入力処理部２０が選局操作の入力を受け付けたか否か（ステップＳ１６）、及び次の数字の入力を受け付けたか否かを監視している (ステップＳ２１）。選局操作の入力も受け付けず、次の数字の入力も受け付けない場合（ステップＳ１６，Ｓ２１で共にＮＯ）、制御部１７はステップＳ１４へ処理を戻し、タイムアップしない間は選局操作の入力、又はチャンネル番号の次の桁の数字の入力があるか否かの監視を継続する。
【００６４】
タイムアップしない間に選局操作の入力が受け付けられた場合（ステップＳ１６でＹＥＳ）、制御部１７はモニタ２６の画面にオンスクリーン表示中の数字と一致（全桁が一致）するチャンネル番号がメモリ１５の有効チャンネル情報記憶領域１５２に記憶されているか否かをサーチする（ステップＳ１７）。オンスクリーン表示中の数字に全桁が一致するチャンネル番号が有効チャンネル情報記憶領域１５２に記憶されていることが判明した場合（ステップＳ１８でＹＥＳ）、制御部１７はそのチャンネル番号をチューナ１２に与えることによってチャンネルを選局する（ステップＳ１９）。この結果、視聴者が入力した数字をチャンネル番号とするチャンネルの放送信号がチューナ１２により選局される。
【００６５】
一方、ステップＳ１７でのサーチの結果、オンスクリーン表示中の数字に全桁が一致するチャンネル番号が有効チャンネル情報記憶領域１５２に記憶されていないことが判明した場合（ステップＳ１８でＮＯ）、制御部１７はモニタ２６の画面からオンスクリーン表示を消去する（オンスクリーン表示中の数字を消去する）、オンスクリーン表示中の数字に代えて現在選局されているチャンネル番号をモニタ２６の画面にオンスクリーン表示する、所定のメッセージをモニタ２６の画面にオンスクリーン表示する、又は受信可能なチャンネル番号のリストをモニタ２６の画面にオンスクリーン表示する、のいずれかの処理を実行する（ステップＳ２０）。
【００６６】
たとえば図３（ａ）はチャンネル番号「５」のチャンネルが選局されてその放送信号がモニタ２６の画面に表示されており、数字の「２」が入力されてモニタ２６の画面にオンスクリーン表示されている状態を示している。この状態においてオンスクリーン表示が消去される場合は図３（ｂ）に示すように、それまでモニタ２６の画面にオンスクリーン表示されていた数字「２」が消去される。また、現在選局されているチャンネル番号がオンスクリーン表示される場合は図３（ｄ）に示すように、それまでモニタ２６の画面にオンスクリーン表示されていた数字「２」に代えて数字「５」がオンスクリーン表示される。更に、所定のメッセージがオンスクリーン表示される場合は図３（ｅ）に示すように、それまでモニタ２６の画面にオンスクリーン表示されていた数字「２」に代えてメッセージ「入力された番号２のチャンネルは受信できません。」がオンスクリーン表示される。
【００６７】
ところで、先のステップＳ１６において選局操作が受け付けられずにステップＳ２１において次の数字の入力が受け付けられた場合（ステップＳ１６でＮＯ，Ｓ２１でＹＥＳ）、制御部１７は入力を受け付けた数字をオンスクリーン表示中の数字の次の桁の数字としてモニタ２６の画面にオンスクリーン表示する（ステップＳ２２）。この後、制御部１７は前述したタイムアップしたか否かを判定するステップＳ１４へ処理を戻す。
【００６８】
従って、たとえば図３（ｃ）はチャンネル番号「５」のチャンネルが選局されていてその放送信号による画像がモニタ２６の画面に表示されており、数字の「２」に続いて「１」が入力されて数字「２１」がモニタ２６の画面にオンスクリーン表示されている状態を示している。この状態においてオンスクリーン表示が消去される場合は図３（ｂ）に示すように、それまでモニタ２６の画面にオンスクリーン表示されていた数字「２１」が消去される。また、現在選局されているチャンネル番号がオンスクリーン表示される場合は図３（ｄ）に示すように、それまでモニタ２６の画面にオンスクリーン表示されていた数字「２１」に代えて数字「５」がオンスクリーン表示される。更に、所定のメッセージがオンスクリーン表示される場合は図３（ｆ）に示すように、それまでモニタ２６の画面にオンスクリーン表示されていた数字「２１」に代えてメッセージ「入力された番号２１のチャンネルは受信できません。」がオンスクリーン表示される。
【００６９】
なお、受信可能チャンネル番号が三桁（「９９９」まで）である場合は、ステップＳ２１においてもう一桁の数字の入力が可能であり、その後は上述同様の処理が行なわれる。但しこの場合、四桁の数字が入力された場合にはステップＳ１７でのサーチの結果として一致するチャンネル番号は存在しないことは明らかであるので、ステップＳ２０の処理が行なわれてステップＳ１１へ処理が戻される。但し、三桁の数字が入力された時点で選局操作が自動的に行なわれたとみなしてステップＳ１６から自動的にステップＳ１７へ処理を進めるようにしてもよい。
【００７０】
ところで、上述した図２のフローチャートのステップＳ２０においては、他の処理を実行することも可能である。たとえば、モニタ２６の画面にオンスクリーン表示中の数字に対応するチャンネル番号が有効チャンネル情報記憶領域１５２に記憶されていないことが判明した場合、オンスクリーン表示中の数字に関連するチャンネル番号をモニタ２６の画面に表示してその中から視聴者にチャンネル番号を選択させる、または再入力させるという処理も可能である。このような処理は、視聴者は少なくとも所望するチャンネル番号の末尾側の数字よりは先頭側の数字をより確実に記憶しているはずであるという心理学的な見地に基づいている。このことはたとえば電話番号、自動車の登録番号、人名等のような数字列又は文字列に関しては末尾側よりは先頭側の方がより記憶が確かであるという一般的な現象からも明らかである。
【００７１】
以上のような見地から、図２のフローチャートのステップＳ２０において、たとえばその時点でモニタ２６の画面にオンスクリーン表示中の数字を一桁目の数字とするチャンネル番号をサーチして表示することにより、全ての受信可能なチャンネル番号をモニタ２６の画面にリスト表示する場合に比して視聴者にとってはより迅速且つ容易に所望のチャンネル番号を見つけて選局することが可能になる。
【００７２】
図４は第１の実施の形態の変形例として、図２のフローチャートのステップＳ２０に代えて制御部１７が実行する処理をサブルーチンとして示したフローチャートである。また図５は第１の実施の形態の変形例のモニタ２６の画面表示の状態を例示する模式図である。
【００７３】
まず、制御部１７はモニタ２６の画面にオンスクリーン表示中の数字を先頭側に含むチャンネル番号を有効チャンネル情報記憶領域１５２からサーチする（ステップＳ２０１）。具体的には、オンスクリーン表示中の数字が一桁の「２」である場合、制御部１７は一桁目の数字が「２」のチャンネル番号を有効チャンネル情報記憶領域１５２に記憶されているチャンネル番号からサーチし、その結果をモニタ２６の画面にリスト形式でオンスクリーン表示する（ステップＳ２０２）。
【００７４】
有効チャンネル情報記憶領域１５２には前述した如く、一桁目が「２」であるチャンネル番号としては「２０」及び「２５」が記憶されているので、図５（ａ）及び（ｂ）に示すように、「２０」及び「２５」がモニタ２６の画面にリスト表示される。図５（ａ）に示す画面では、操作部２４又はリモコン３０のテンキーの「１」を操作すると「２０チャンネル」が、「２」を操作すると「２５チャンネル」がそれぞれ選局されることを示している。また図５（ｂ）に示す画面では、操作部２４又はリモコン３０のカーソルキーで「２０」又は「２５」を選択して「決定キー」を操作することによりいずれかのチャンネルが選局されることを示している。
【００７５】
また、図５（ｃ）及び（ｄ）はオンスクリーン表示中の数字が「１」であった場合のモニタ２６の画面表示の状態を例示している。有効チャンネル情報記憶領域１５２には前述した如く、一桁目が「１」であるチャンネル番号としては「１０」、「１５」、１００」、「１０５」及び「１１０」が記憶されているので、図５（ｃ）及び（ｄ）に示すように、「１０」、「１５」、１００」、「１０５」及び「１１０」がモニタ２６の画面にリスト表示される。図５（ｃ）に示す画面では、操作部２４又はリモコン３０のテンキーの「１」を操作すると「１０チャンネル」が、「２」を操作すると「１５チャンネル」が、というようにそれぞれ選局可能であることを示している。また図５（ｄ）に示す画面では、操作部２４又はリモコン３０のカーソルキーで「１０」、「１５」、１００」、「１０５」及び「１１０」のいずれかを選択して「決定キー」を操作することによりいずれかのチャンネルが選局されることを示している。
【００７６】
制御部１７は上述のようにしてモニタ２６の画面にリスト形式でオンスクリーン表示されたチャンネル番号からいずれかの選択が受け付けられたか否か、タイムアップしたか否かを監視している（ステップＳ２０３）。チャンネル番号が選択されない間にタイムアップした場合（ステップＳ２０３でＮＯ，Ｓ２０４でＹＥＳ）、制御部１７はこのサブルーチンの処理をリターンさせるので、図２のフローチャートのステップＳ１１へ処理が戻され、視聴者は選局を最初からやり直すことができる。一方、タイムアップ以前にいずれかのチャンネル番号が選択された場合（ステップＳ２０４でＮＯ，Ｓ２０３でＹＥＳ）、制御部は受け付けた選択に対応するチャンネル番号をチューナ１２に与えることによって選局を行なう（ステップＳ２０５）。この後、制御部１７はこのサブルーチンの処理をリターンさせるので、図２のフローチャートのステップＳ１１へ処理が戻される。
【００７７】
図６は第１の実施の形態の更に他の変形例として、図２のフローチャートのステップＳ２０に代えて制御部１７が実行する処理をサブルーチンとして示したフローチャートである。また図７は第１の実施の形態の更に他の変形例のモニタ２６の画面表示の状態を例示する模式図である。
【００７８】
この図６に示す例では、モニタ２６の画面にオンスクリーン表示中の数字に対応するチャンネル番号が有効チャンネル情報記憶領域１５２に記憶されていないことが判明した場合、オンスクリーン表示中の数字に最も近い数字のチャンネル番号を自動的に選択して選局する。
【００７９】
まず、制御部１７はモニタ２６の画面にオンスクリーン表示中の数字に最も近い数字のチャンネル番号を有効チャンネル情報記憶領域１５２からサーチする（ステップＳ２１１）。具体的には、オンスクリーン表示中の数字が一桁の「２」である場合、サーチ結果として制御部１７は有効チャンネル情報記憶領域１５２に記憶されているチャンネル番号の内から「２」に最も近い「５」を見つけることができる。従って、制御部１７はチューナ１２を制御してチャンネル番号が「５」のチャンネルを選局する（ステップＳ２１２）。但し、それまでもチャンネル番号「５」のチャンネルが選局されていた場合には実際にはチャンネルの切り換えは行なわれない。また同時に制御部１７は選局したチャンネル番号をモニタ２６の画面にオンスクリーン表示し（ステップＳ２１３）、図２のフローチャートのステップＳ１１へ処理をリターンさせる。
【００８０】
有効チャンネル情報記憶領域１５２には前述した如く、一桁の数字「２」に最も近いチャンネル番号としては「５」が記憶されているので、図７（ａ）に示すようにチャンネル番号「５」のチャンネルが選局されていて数字の「２」が入力されている状態では、図７（ｂ）に示すようにチャンネル番号「５」が選局されると共に数字の「５」がモニタ２６の画面にオンスクリーン表示される。一方、図７（ｃ）に示すようにチャンネル番号「５」のチャンネルが選局されていて数字の「２１」が入力されている状態では、図７（ｄ）に示すようにチャンネル番号「２０」が選局されると共に数字の「２０」がモニタ２６の画面にオンスクリーン表示される。
【００８１】
図８及び図９は第２の実施の形態の制御部１７による処理手順を示すフローチャート、図１０は第２の実施の形態のモニタ２６の画面表示の状態を例示する模式図である。なお、図８及び図９に示すフローチャートは選局制限モードフラグ１５４がオンに設定されている場合の処理手順であり、選局制限モードフラグ１５４がオフに設定されている場合は本発明の放送信号受信装置においても従来の一般的なこの種の装置と同様の動作を行なう。
【００８２】
制御部１７は、操作部２４又はリモコン入力処理部２０がチャンネル番号の一桁目の数字の入力を受け付けたか否かを監視している (ステップＳ３１）。一桁目の数字の入力を受け付けない間は（ステップＳ３１でＮＯ）、制御部１７は数字の入力の受け付けの監視を継続する。但しこの場合、既にいずれかのチャンネル、たとえばチャンネル番号が「５」のチャネルが選局されてモニタ２６の画面に映像が表示されているとする。
【００８３】
一桁目の数字の入力が受け付けられた場合（ステップＳ３１でＹＥＳ）、制御部１７は内部カウンタによる計時を開始し（ステップＳ３２）、入力を受け付けた数字を一桁目とするチャンネル番号がメモリ１５の有効チャンネル情報記憶領域１５２に記憶されているか否かをサーチする（ステップＳ３３）。このサーチの結果、一致するチャンネル番号が有効チャンネル情報記憶領域１５２に記憶されていることが判明した場合（ステップＳ３４でＹＥＳ）、制御部１７は先に入力を受け付けた数字をＯＳＤ制御部１９を制御してモニタ２６の画面にオンスクリーン表示する（ステップＳ３５）。なお、ステップＳ３３でのサーチの結果、一致するチャンネル番号が有効チャンネル情報記憶領域１５２に記憶されていないことが判明した場合（ステップＳ３４でＮＯ）、制御部１７はステップＳ３１へ処理を戻す。この結果、視聴者は最初からチャンネル番号入力をやり直すことが可能になる。
【００８４】
ステップＳ３５において一桁目の数字がオンスクリーン表示された後、制御部１７は内部カウンタによる計時結果が所定時間を経過したか否か、即ちタイムアップしたか否かを判断し（ステップＳ３６）、タイムアップしている場合は後述するステップＳ３８へ処理を進める。タイムアップしていない場合（ステップＳ３６でＮＯ）、制御部１７は操作部２４又はリモコン入力処理部２０が選局操作の入力を受け付けたか否か（ステップＳ３７）、及び次の数字の入力を受け付けたか否かを監視している (ステップＳ４２）。選局操作の入力も受け付けず、次の数字の入力も受け付けない場合（ステップＳ３７，Ｓ４２で共にＮＯ）、制御部１７はステップＳ３６へ処理を戻し、タイムアップしない間は選局操作の入力、又はチャンネル番号の次の桁の数字の入力があるか否かの監視を継続する。
【００８５】
タイムアップしない間に選局操作の入力が受け付けられた場合（ステップＳ３６でＮＯ，Ｓ３７でＹＥＳ）、またはタイムアップした場合（ステップＳ３６でＹＥＳ）、制御部１７はモニタ２６の画面にオンスクリーン表示中の数字と全桁が一致するチャンネル番号がメモリ１５の有効チャンネル情報記憶領域１５２に記憶されているか否かをサーチする（ステップＳ３８）。オンスクリーン表示中の数字に全桁が一致するチャンネル番号が有効チャンネル情報記憶領域１５２に記憶されていることが判明した場合（ステップＳ３９でＹＥＳ）、制御部１７はそのチャンネル番号をチューナ１２に与えることによってチャンネルを選局する（ステップＳ４１）。この結果、視聴者が入力した数字をチャンネル番号とするチャンネルの放送信号がチューナ１２により選局される。
【００８６】
一方、ステップＳ３８でのサーチの結果、オンスクリーン表示中の数字に全桁が一致するチャンネル番号が有効チャンネル情報記憶領域１５２に記憶されていないことが判明した場合（ステップＳ３９でＮＯ）、制御部１７は所定の処理を実行する（ステップＳ４０）。なおこのステップＳ４０での所定の処理は前述した図２のフローチャートのステップＳ２０での処理、即ちモニタ２６の画面からオンスクリーン表示を消去する（モニタ２６の画面にオンスクリーン表示中の数字を消去する）、オンスクリーン表示中の数字に代えて現在選局されているチャンネル番号をモニタ２６の画面にオンスクリーン表示する、所定のメッセージをモニタ２６の画面にオンスクリーン表示する、又は受信可能なチャンネル番号のリストをモニタ２６の画面にオンスクリーン表示する、のいずれかの処理である。
【００８７】
ところで、先のステップＳ３７において選局操作が受け付けられずにステップＳ４２において次の数字の入力が受け付けられた場合（ステップＳ３７でＮＯ，Ｓ４２でＹＥＳ）、制御部１７は入力を受け付けた数字をモニタ２６の画面にオンスクリーン表示中の数字の次の桁の数字とするチャンネル番号がメモリ１５の有効チャンネル情報記憶領域１５２に記憶されているか否かをサーチする（ステップＳ４３）。このサーチの結果、一致するチャンネル番号が有効チャンネル情報記憶領域１５２に記憶されていないことが判明した場合（ステップＳ４４でＮＯ）、制御部１７は前述したステップＳ３６へ処理を戻し、タイムアップしない間は選局操作の入力、又はチャンネル番号の次の桁の数字の入力があるか否かの監視を継続する。
【００８８】
ステップＳ４３でのサーチの結果、一致するチャンネル番号が有効チャンネル情報記憶領域１５２に記憶されていることが判明した場合（ステップＳ４４でＹＥＳ）、制御部１７は入力を受け付けた数字をオンスクリーン表示中の数字の次の桁の数字としてモニタ２６の画面にオンスクリーン表示する（ステップＳ４５）。この後、制御部１７は前述したステップＳ３６へ処理を戻し、タイムアップしない間は選局操作の入力、又はチャンネル番号の次の桁の数字の入力があるか否かの監視を継続する。
【００８９】
たとえば図１０（ａ）はチャンネル番号「５」のチャンネルが選局されてその放送信号による映像が表示されている状態を示している。この状態において、最初に数字の「２」が入力されると、有効チャンネル情報記憶領域１５２には「２０」、「２５」という一桁目の数字が「２」のチャンネル番号が記憶されているので、図１０（ｂ）に示すようにモニタ２６の画面には「２」がオンスクリーン表示される。
【００９０】
この状態において次の数字としてたとえば「１」が入力されると、有効チャンネル情報記憶領域１５２には一桁目側から「２１」という数字のチャンネル番号は記憶されていないので、表示状態は図１０（ｂ）に示す状態のままに維持される。しかし、たとえば「２」の次の数字として「５」（又は「０」でもよい）が入力されると、「２５」（又は「２０」）という数字のチャンネル番号は有効チャンネル情報記憶領域１５２に記憶されているので、図１０（ｃ）に示すように数字「２５」（又は「２０」）がモニタ２６の画面にオンスクリーン表示される。更にたとえば数字「１１」が入力された場合、有効チャンネル情報記憶領域１５２にはチャンネル番号として「１１０」が記憶されているので、図１０（ｄ）に示すように、数字「１１」がモニタ２６の画面にオンスクリーン表示される。
【００９１】
ところで、図１０（ｂ）又は図１０（ｄ）に示されているように、モニタ２６の画面にオンスクリーン表示されている数字が「２」又は「１１」のように有効チャンネル情報記憶領域１５２には記憶されていないチャンネル番号の数字である。従ってこのような表示状態においてタイムアップした場合には選局は行なわれず、前述した図２のステップＳ２０と同様の処理、即ちモニタ２６の画面からオンスクリーン表示を消去する（オンスクリーン表示中の数字を消去する）、オンスクリーン表示中の数字に代えて現在選局されているチャンネル番号をモニタ２６の画面にオンスクリーン表示する、所定のメッセージをモニタ２６の画面にオンスクリーン表示する、又は受信可能なチャンネル番号のリストをモニタ２６の画面にオンスクリーン表示する、のいずれかの処理が行なわれる。
【００９２】
次に本発明の放送信号受信装置の第３の実施の形態について説明する。本第３の実施の形態では、双方向タイプのリモコン装置３０側において操作可能な数字キーを視聴者に明示するか、又は操作可能な数字キー以外の数字キーの操作を禁止することにより、受信可能なチャンネルのチャンネル番号のみを選択可能に構成している。
【００９３】
図１１は本発明に係る放送信号受信装置１のリモコン装置３０の外観を示す模式図、図１２はその内部構成例を示す機能ブロック図である。リモコン装置３０の前端部には、放送信号受信装置１との間で双方向通信を行なうための送信部３２及び受信部３３が備えられている。また、リモコン装置３０の外面には「０」〜「９」までの１０個の数字キーにより構成されるテンキー３４、モニタ２６の画面上でカーソルを移動させるためのカーソルキー３６、決定キー３７、その他のキー３８等が露出してた状態で備えられており、視聴者による操作が可能である。なお、テンキー３４の各数字キーはたとえばＬＥＤ等の発光手段によって個々に点灯／消灯が可能に構成されている。
【００９４】
リモコン装置３０の内部にはＭＰＵを利用した制御部３１が備えられている。この制御部３１には、上述した各キー等が接続されていてそれぞれが操作された場合に所定の信号が制御部３１へ入力される。また制御部３１には数字キー点灯回路３５が接続されている。数字キー点灯回路３５は制御部３１から与えられる制御信号に従って、テンキー３４の「０」〜「９」までの各数字キーを選択的に点灯／消灯させるための回路である。また、制御部３１には上述した送信部３２及び受信部３３が出力処理部３２０及び入力処理部３３０を介してそれぞれ接続されている。出力処理部３２０はリモコン装置３０が受け付けた操作入力（キー入力）をエンコードして送信部３２から電波又は光信号に変換して放送信号受信装置１へ送信させるためのものである。また、入力処理部３３０は受信部３３が受信した放送信号受信装置１の送信部２３から送信された電波又は光信号をデコードして制御部３１に与えるためのものである。
【００９５】
図１３及び図１４は放送信号受信装置１の第３の実施の形態の制御部１７により実行される処理手順を、図１５はリモコン装置３０の制御部３１により実行される処理手順をそれぞれ示すフローチャートである。また図１６は第３の実施の形態のモニタ２６の画面表示の状態を例示する模式図である。以下、これらのフローチャートを参照して本発明に係る放送信号受信装置１及びリモコン装置３０の動作について説明する。なお、図１３及び図１４に示すフローチャートは選局制限モードフラグ１５４がオンに設定されている場合の処理手順であり、選局制限モードフラグ１５４がオフに設定されている場合は本発明の放送信号受信装置においても従来の一般的なこの種の装置と同様の動作を行なう。
【００９６】
放送信号受信装置１の制御部１７は、リモコン入力処理部２０からチャンネル番号の一桁目の数字のデータを受信したか否かを監視している (ステップＳ５１）。リモコン装置３０の制御部３１は一桁目の数字の入力が受け付けられるか否かを監視している（ステップＳ７１でＮＯ）。テンキー３４のいずれか一つの数字キーが操作されることによって一桁目の数字の入力が受け付けられると（ステップＳ７１でＹＥＳ）、リモコン装置３０の制御部３１は入力を受け付けた数字のデータを送信部３２から放送信号受信装置１へ送信する（ステップＳ７２）。
【００９７】
このようにしてリモコン装置３０から送信された数字のデータを放送信号受信装置１が受信部２３を介して受信すると（ステップＳ５１でＹＥＳ）、放送信号受信装置１の制御部１７は内部カウンタによる計時を開始し（ステップＳ５２）、リモコン装置３０から受信したデータの数字を一桁目とするチャンネル番号がメモリ１５の有効チャンネル情報記憶領域１５２に記憶されているか否かをサーチする（ステップＳ５３）。なお、放送信号受信装置１では既にいずれかのチャンネル、たとえばチャンネル番号が「５」のチャネルが選局されてモニタ２６の画面に映像が表示されているとする。
【００９８】
ステップＳ５３でのサーチの結果、一致するチャンネル番号が有効チャンネル情報記憶領域１５２に記憶されていることが判明した場合（ステップＳ５４でＹＥＳ）、放送信号受信装置１の制御部１７は先にリモコン装置３０から受信したデータの数字をＯＳＤ制御部１９を制御してモニタ２６の画面にオンスクリーン表示する（ステップＳ５５）。なお、ステップＳ５３でのサーチの結果、一致するチャンネル番号が有効チャンネル情報記憶領域１５２に記憶されていないことが判明した場合（ステップＳ５４でＮＯ）、放送信号受信装置１の制御部１７はステップＳ５１へ処理を戻す。この結果、視聴者は最初からチャンネル番号入力をやり直すことが可能になる。
【００９９】
ステップＳ５５において一桁目の数字がモニタ２６の画面にオンスクリーン表示された後、放送信号受信装置１の制御部１７は先のステップＳ５３でのサーチの結果、一致したチャンネル番号の次の桁の数字のデータを送信部２３からリモコン装置３０へ送信する（ステップＳ５６）。なおこの際、放送信号受信装置１からリモコン装置３０へ送信される数字のデータは一つとは限らず、複数の場合もあり得る。この後、放送信号受信装置１の制御部１７は内部カウンタによる計時結果が所定時間を経過したか否か、即ちタイムアップしたか否かを判断し（ステップＳ５７）、タイムアップしている場合は（ステップＳ５７でＹＥＳ）、モニタ２６の画面からオンスクリーン表示を消去してステップＳ５１へ処理を戻す（ステップＳ５８）。タイムアップしていない場合は（ステップＳ５７でＮＯ）、放送信号受信装置１の制御部１７はリモコン装置３０から選局操作の入力を受信したか否か（ステップＳ５９）、及び次の数字のデータを受信したか否かを監視している (ステップＳ６１）。
【０１００】
一方、リモコン装置３０では放送信号受信装置１からの数字のデータを受信したか否か（ステップＳ７３）、決定キー３７が操作されることによる選局操作を受け付けたか否かを監視している（ステップＳ７４）。放送信号受信装置１からステップＳ５６において送信された数字のデータを受信部３３で受信した場合（ステップＳ７３でＹＥＳ）、リモコン装置３０の制御部３１は数字キー点灯回路３５を制御することにより、テンキー３４の内の受信した１又は複数の数字のデータに対応する１又は複数の数字キーを点灯させる（ステップＳ７６）。なおこの場合、リモコン装置３０の制御部３１を、テンキー３４の内の点灯している１又は複数の数字キーの操作のみを受け付け、他の点灯していない数字キーが操作されたとしても無視するように構成してもよい。
【０１０１】
この後、リモコン装置３０の制御部３１はテンキー３４の内の点灯している１又は複数の数字キーのいずれか一つが操作されたか否か（ステップＳ７７）、選局操作（決定キー３７の操作）が受け付けられたか否かを監視する（ステップＳ７８）。いずれの操作も行なわれない場合（ステップＳ７７及びＳ７８で共にＮＯ）、制御部３１はいずれかの操作が受け付けられたか否かの監視を継続する。そして、点灯している数字キーのいずれか一つが操作された場合（ステップＳ７７でＹＥＳ）、リモコン装置３０の制御部３１はテンキー３４の内の操作された数字キーに対応する数字のデータを送信部３２から放送信号受信装置１へ送信し（ステップＳ７９）、前述したステップＳ７３へ処理を戻す。
【０１０２】
なお、ステップＳ７４又はステップＳ７８において選局操作が受け付けられた場合（ステップＳ７４又はＳ７８でＹＥＳ）、具体的には決定キー３７が操作された場合、リモコン装置３０の制御部３１は選局操作を受け付けたことを示す信号（決定キー３７が操作されたことを示す信号）を送信部３２から放送信号受信装置１へ送信する（ステップＳ７５）。
【０１０３】
このようにしてリモコン装置３０においてテンキー３４の内のいずれか一つの数字キーが操作されて対応する数字のデータを放送信号受信装置１が受信した場合（ステップＳ６１でＹＥＳ）、放送信号受信装置１の制御部１７は受信したデータの数字をオンスクリーン表示中の数字の次の桁の数字とするチャンネル番号がメモリ１５の有効チャンネル情報記憶領域１５２に記憶されているか否かをサーチする（ステップＳ６２）と共に、受信したデータの数字をオンスクリーン表示中の数字の次の桁の数字としてモニタ２６の画面にオンスクリーン表示する（ステップＳ６３）。
【０１０４】
ところで、ステップＳ６１で放送信号受信装置１がリモコン装置３０から受信した数字は先にステップＳ５６において放送信号受信装置１の制御部１７がリモコン装置３０へ送信した１又は複数の数字の内の一つである。このため、その数字をオンスクリーン表示中の数字の次の桁の数字とするチャンネル番号をステップＳ６２においてメモリ１５の有効チャンネル情報記憶領域１５２でサーチした場合には必ず一致するチャンネル番号が見つかる。従って、放送信号受信装置１の制御部１７は次に、サーチにより見つけたチャンネル番号の次の桁の数字の有無を判断する（ステップＳ６４）。この場合、次の桁の数字が無いということはチャンネル番号の入力が終了したことになるので（ステップＳ６４でＮＯ）、放送信号受信装置１の制御部１７はモニタ２６の画面にオンスクリーン表示中の数字の番号のチャネルを選局し（ステップＳ６０）、ステップＳ５１へ処理を戻す。
【０１０５】
一方、ステップＳ６４において次の桁の数字がある場合は（ステップＳ６４でＹＥＳ）、放送信号受信装置１の制御部１７は先のステップＳ６２でのサーチの結果、一致したチャンネル番号の次の桁の数字のデータを送信部２３からリモコン装置３０へ送信し（ステップＳ６５）、その後はステップＳ５７へ処理を戻す。
【０１０６】
リモコン装置３０では、テンキー３４の内の操作された数字キーに対応する数字のデータを先にステップＳ７９において放送信号受信装置１へ送信した後は放送信号受信装置１から数字のデータを受信したか否か、選局操作（決定キー３７の操作）を受け付けたか否かを監視している（ステップＳ７３及びＳ７４でＮＯ）。従って、上述のようにして放送信号受信装置１から再度数字のデータを受信した場合（ステップＳ７３でＹＥＳ）、又は選局操作を受け付けた場合（ステップＳ７４でＹＥＳ）、リモコン装置３０の制御部３１は前述同様の処理を行なう。
【０１０７】
たとえば図１６（ａ）に示すように、リモコン装置３０のテンキー３４の内の「２」の数字キーが最初に操作された場合、放送信号受信装置１のメモリ１５の有効チャンネル情報記憶領域１５２には「２０」及び「２５」のチャンネル番号が記憶されているので、放送信号受信装置１からリモコン装置３０へは「０」及び「５」の数字のデータが送信される。従って、図１６（ｂ）に示すように、リモコン装置３０のテンキー３４の内の「０」及び「５」の数字キーのみが点灯する。この状態において視聴者は「０」及び「５」の数字の入力のみが可能であること、換言すれば先に入力した「２」と合わせて「２０」及び「２５」のチャンネル番号のみが視聴可能であることを理解することができる。そして、視聴者がたとえば「０」（又は「５」）の数字キーを操作すると、チャンネル番号「２０」（又は「２５」）のチャンネルが選局される。
【０１０８】
なお、上述の実施の形態ではリモコン装置３０のテンキー３４は「０」〜「９」までの各数字キーをハードウェアとして備える構成であるが、リモコン装置３０のテンキー３４をたとえば液晶パネル等の表示装置を利用したタッチパネルに表示されるソフトウェアキーとして備える構成も可能である。
【０１０９】
図１７は上述のようなリモコン装置３０がタッチパネルを備える構成におけるタッチパネルの表示の状態を例示する模式図である。上述のような構成においては、たとえば図１７（ａ）に示すように、リモコン装置３０のテンキー３４の内の「２」の数字キーが最初に操作された場合、前述同様にして放送信号受信装置１からリモコン装置３０へは「０」及び「５」の数字のデータが送信される。従って、図１７（ｂ）に示すように、リモコン装置３０のテンキー３４の内の「０」及び「５」の数字キーのみが表示されるように構成することが可能になる。従ってこの状態においてはリモコン装置３０のテンキー３４には「０」及び「５」の数字のみが表示されることにより、視聴者は「０」及び「５」の数字のみの入力が可能であること、換言すれば先に入力した「２」と合わせて「２０」及び「２５」のチャンネル番号のみが視聴可能であることを理解することができる。そして、視聴者がたとえば「０」（又は「５」）の数字キーを操作すると、チャンネル番号「２０」（又は「２５」）のチャンネルが選局される。
【０１１０】
なお、上述したようにリモコン装置３０に液晶パネル等を利用した表示部が備えられている場合は、リモコン装置３０は放送信号受信装置１との間で双方向通信が可能であるので、前述した図３（ｅ），（ｆ），（ｇ）、図５（ａ），（ｂ），（ｃ）及び（ｄ）に示したモニタ２６へのオンスクリーン表示をリモコン装置３０の表示部に表示させるように構成することも可能である。そのような構成を採った場合には、視聴者はモニタ２６の画面ではなく手元のリモコン装置３０の表示部上でチャンネル番号の選択操作等を行なうことが可能になる。
【０１１１】
上述した各実施の形態ではＴＶ放送を対象として受信可能放送信号情報が数字（チャンネル番号）である場合について説明した。しかし、たとえば外部入力端子１１からの複数系統の信号入力がそれぞれ番号で表される場合にはチャンネル番号と同様に処理することが可能であり、また両者を混在させて処理することも可能である。また受信可能放送信号情報が数字ではなくアルファベットであるような場合にも、アルファベットの各文字の配列順に基づいて同様の処理が可能である。
【０１１２】
更に上述した各実施の形態ではＴＶ放送を対象としているが、ラジオ放送（ＡＭ，ＦＭ，短波）を対象とし、各放送局の周波数を数字入力する場合にも本発明は適用可能である。
【図面の簡単な説明】
【０１１３】
【図１】本発明に係る放送信号受信装置の一実施の形態のハードウェア構成の一例を示すブロック図である。
【図２】本発明に係る放送信号受信装置の第１の実施の形態の制御部による処理手順を示すフローチャートである。
【図３】本発明に係る放送信号受信装置の第１の実施の形態のモニタの画面表示の状態を例示する模式図である。
【図４】本発明に係る放送信号受信装置の第１の実施の形態の変形例の制御部が実行する処理をサブルーチンとして示したフローチャートである。
【図５】本発明に係る放送信号受信装置の第１の実施の形態の変形例のモニタの画面表示の状態を例示する模式図である。
【図６】本発明に係る放送信号受信装置の第１の実施の形態の更に他の変形例の制御部が実行する処理をサブルーチンとして示したフローチャートである。
【図７】本発明に係る放送信号受信装置の第１の実施の形態の更に他の変形例のモニタの画面表示の状態を例示する模式図である。
【図８】本発明に係る放送信号受信装置の第２の実施の形態の制御部による処理手順を示すフローチャートである。
【図９】本発明に係る放送信号受信装置の第２の実施の形態の制御部による処理手順を示すフローチャートである。
【図１０】本発明に係る放送信号受信装置の第２の実施の形態のモニタの画面表示の状態を例示する模式図である。
【図１１】本発明に係る放送信号受信装置のリモートコントロール装置の外観を示す模式図である。
【図１２】本発明に係る放送信号受信装置のリモートコントロール装置の内部構成例を示す機能ブロック図である。
【図１３】本発明に係る放送信号受信装置の第３の実施の形態の制御部により実行される処理手順を示すフローチャートである。
【図１４】本発明に係る放送信号受信装置の第３の実施の形態の制御部により実行される処理手順を示すフローチャートである。
【図１５】本発明に係る放送信号受信装置の第３の実施の形態のリモートコントロール装置の制御部により実行される処理手順を示すフローチャートである。
【図１６】本発明に係る放送信号受信装置の第３の実施の形態のモニタの画面表示の状態を例示する模式図である。
【図１７】本発明に係る放送信号受信装置のリモートコントロール装置がタッチパネルを備える構成におけるタッチパネルの表示の状態を例示する模式図である。
【符号の説明】
【０１１４】
１  放送信号受信装置
１２  チューナ
１５  メモリ
１５２  有効チャンネル情報記憶領域
１７  制御部
１９  ＯＳＤ制御部
２１  受信部
２３  送信部
３０  リモコン装置
３１  制御部
３２  送信部
３３  受信部
３４  テンキー
３５  数字キー点灯回路
３６  カーソルキー
３７  決定キー
【図１】
2007096948.tif 000003
【図２】
2007096948.tif 000004
【図３】
2007096948.tif 000005
【図４】
2007096948.tif 000006
【図５】
2007096948.tif 000007
【図６】
2007096948.tif 000008
【図７】
2007096948.tif 000009
【図８】
2007096948.tif 000010
【図９】
2007096948.tif 000011
【図１０】
2007096948.tif 000012
【図１１】
2007096948.tif 000013
【図１２】
2007096948.tif 000014
【図１３】
2007096948.tif 000015
【図１４】
2007096948.tif 000016
【図１５】
2007096948.tif 000017
【図１６】
2007096948.tif 000018
【図１７】
2007096948.tif 000019